【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
モバイルデバイスにおけるリマインダの提示をトリガするためのシステムにおいて：
前記モバイルデバイスのユーザに関連付けられるカレンダ情報を記憶するように構成された１つ以上のコンピュータ記憶媒体と；
前記ユーザに関連付けられるコンテキスト情報を収集するように構成された１つ以上の処理デバイスを備えるデータ収集コンポーネントと；
前記ユーザに関連付けられる前記コンテキスト情報を記憶するように構成された１つ以上のコンピュータ記憶媒体と；
推論エンジンであって、
前記モバイルデバイスのユーザに関連付けられるタスクを記述するイベントリマインダにアクセスし、ここで、前記イベントリマインダに記述される前記タスクは、特定の時間に関して定義されておらず、
前記タスクに関連付けられる個人を識別し、ここで、前記個人は前記ユーザ以外の人であり、
前記ユーザが前記個人の所定の近傍内にいるよう予測される将来時間を決定し、
前記ユーザへの提示のために前記リマインダをトリガする時間を決定し、ここで、前記リマインダをトリガする時間は、前記ユーザが前記個人の前記所定の近傍内にいるよう予測される前記将来時間に先立つ時間期間に生じる、
ように構成された１つ以上の処理デバイスを備える推論エンジンと；
前記リマインダをトリガする時間が発生したことを決定し、前記リマインダを前記ユーザに提示させるように構成された１つ以上の処理デバイスを備える、リマインダ表面化コンポーネントと；
を備える、システム。
【請求項２】
前記ユーザが前記個人の前記所定の近傍内にいるよう予測される前記将来時間を決定することは：
前記ユーザに関連付けられるカレンダ情報にアクセスし；
前記個人に関連付けられるカレンダ情報にアクセスし；
前記ユーザの前記カレンダ情報から第１位置及び第１時間に関連付けられる第１イベントを識別し；
前記個人の前記カレンダ情報から第２位置及び第２時間に関連付けられる第２イベントを識別し；
前記第１位置が前記第２位置の近傍内にあると決定し；
前記第１時間が前記第２時間の近傍内であると判定し；
前記第１イベントに関連付けられる時間又は前記第２イベントに関連付けられる時間を、前記ユーザが前記個人の前記所定の近傍内にいるよう予測される前記将来時間として識別する；
ことを備える、請求項１に記載のシステム。
【請求項３】
前記第１イベント及び前記第２イベントは相互に独立している、
請求項２に記載のシステム。
【請求項４】
前記ユーザが前記個人の前記所定の近傍内にいるよう予測される前記将来時間に先立つ前記時間期間を決定するために、前記推論エンジンは：
前記ユーザの現在位置を識別し；
前記ユーザが前記個人の前記所定の近傍内にいるよう予測される将来位置を識別し；
前記ユーザが前記現在位置から前記将来位置まで移動するよう予測されるルートを決定し；
前記現在位置から前記将来位置までの前記ルートに沿った移動時間量を決定し；
前記移動時間量に少なくとも部分的に基づいて、前記ユーザが前記個人の前記所定の近傍内にいるよう予測される前記将来時間に先立つ前記時間期間を決定する；
ように更に構成される、請求項１に記載のシステム。
【請求項５】
リマインダの提示をトリガする方法であって、当該方法は、１つ以上の処理デバイスによって実行され：
ユーザデバイスのユーザに関連付けられるタスクを記述するイベントリマインダにアクセスするステップであって、前記イベントリマインダで記述されるタスクは、特定の時間に関して定義されていないステップと；
前記タスクに関連付けられる個人を識別するステップであって、前記個人は前記ユーザ以外の人であるステップと；
前記ユーザが移動する予測ルートに沿ったポイントで前記ユーザが前記個人の所定の近傍内にいるよう予測される将来時間を決定するステップと；
前記ユーザへの提示のために前記リマインダをトリガする時間を決定するステップであって、前記リマインダをトリガする時間は、前記ユーザが前記個人の前記所定の近傍内にいるよう予測される前記将来時間に先立つ時間期間に生じるように決定される、ステップと；
前記リマインダをトリガする時間が発生したことを決定するステップと；
前記リマインダをトリガする時間が発生したという前記決定に基づいて、前記リマインダを前記ユーザに提示させるステップと；
を備える、方法。
【請求項６】
前記ユーザが前記個人の前記所定の近傍内にいるよう予測される前記将来時間を決定するステップは：
第１将来時間に前記ユーザが移動する予測ルートを決定するステップと；
第２将来時間における前記個人の予測位置を決定するステップと；
前記予測ルートに沿った前記ポイントが前記個人の前記予測位置の前記所定の近傍内にあることを決定するステップと；
前記個人が該個人の前記予測位置にいる間に前記ユーザが前記予測ルートに沿った前記ポイントに到達することになることを決定するステップと；
前記ユーザが前記予測ルートに沿った前記ポイントに到達するときに関連付けられる時間を、前記ユーザが前記個人の前記所定の近傍内にいるよう予測される前記将来時間として識別するステップと；
を備える、請求項５に記載の方法。
【請求項７】
前記第１将来時間に前記ユーザが移動する前記予測ルートを決定するステップは：前記ユーザに関連付けられるカレンダ情報；前記ユーザに関連付けられるユーザプロファイル情報；又は前記ユーザに関連付けられる１つ以上の過去の移動パターン；のうちの１つ以上に少なくとも部分的に基づく、
請求項６に記載の方法。
【請求項８】
前記第２将来時間における前記個人の前記予測位置を決定するステップは、前記個人に関連付けられるカレンダ情報；前記個人に関連付けられるユーザプロファイル情報；又は前記個人に関連付けられる1つ以上の過去の移動パターン；のうちの１つ以上に少なくとも部分的に基づく、
請求項６に記載の方法。
【請求項９】
前記ユーザが前記個人の前記所定の近傍内にいるよう予測される前記将来時間を決定するステップは：
前記ユーザの出発地を識別するステップと；
第１将来時間に前記ユーザが移動するよう予測される目的地を識別するステップと；
前記出発地から、前記ユーザが移動するよう予測される前記目的地までのルートを選択するステップであって、前記ルートは、第２将来時間に前記個人が位置するよう予測される場所を決定し、前記ルートに沿ったポイントが、前記個人が位置するよう予測される前記場所の所定の近傍内にあると決定することに基づいて選択される、ステップと；
前記選択されたルートを前記ユーザに提案するステップと；
前記ユーザが前記選択されたルートに沿った前記ポイントに到達するよう予想されるときに関連付けられる時間を、前記ユーザが前記個人の前記所定の近傍内にいるよう予測される前記将来時間として識別するステップと；
を備える、請求項５に記載の方法。
【請求項１０】
前記ユーザが移動するよう予測される前記目的地は、前記個人が位置するよう予測される前記場所とは独立である、
請求項９に記載の方法。
【請求項１１】
前記第１将来時間に前記ユーザが移動するよう予測されるルートを決定することは：
前記ユーザが現在移動しているルートを識別することと；
前記ユーザが移動することになる、現在のルートのうちの予測される残り部分を決定することと；
前記現在のルートのうちの前記予測される残り部分を、前記ユーザが前記第１将来時間に移動するよう予測される前記ルートとして識別することと、
を備える、請求項６に記載の方法。